(57)【特許請求の範囲】
【請求項１】
洗面室内で洗濯物を干すための物干し部材と、
前記物干し部材に前記洗濯物を取り付けるための取付位置と前記物干し部材に取り付けられた前記洗濯物を干すための物干し位置との間で、前記物干し部材を往復移動可能に支持する移動機構と、
上下方向を軸方向として前記物干し部材を回動可能に支持する回動機構と、
を具備し、
前記物干し位置は、
前記洗面室に設置された機器の設置スペースの上部に配置され、
前記取付位置は、
前記物干し位置に比べて前記設置スペース以外のスペースに近い位置に配置される、
ことを特徴とする物干し構造。
【請求項２】
前記取付位置は、
前記洗面室の前記設置スペース以外のスペースに配置される、
ことを特徴とする請求項１に記載の物干し構造。
【請求項３】
前記機器には、洗濯機が含まれ、
前記物干し部材は、
前記物干し位置に移動された状態において、少なくとも一部が前記洗濯機の上方に配置される、
ことを特徴とする請求項２に記載の物干し構造。
【請求項４】
前記物干し部材を昇降可能に支持する昇降機構をさらに具備する、
ことを特徴とする請求項１から請求項３までのいずれか一項に記載の物干し構造。
【請求項５】
前記移動機構は、
前記洗面室の天井に設けられ、前記取付位置から前記物干し位置に亘って形成されるガイド部と、
前記ガイド部に沿って往復移動可能に前記物干し部材を支持する支持部材と、
を具備する、
ことを特徴とする請求項４に記載の物干し構造。
【請求項６】
前記移動機構は、
前記支持部材に取り付けられると共に下端部が下方向に延びるように形成され、前記物干し部材を前記ガイド部に沿って往復移動させるための操作部材をさらに具備する、
ことを特徴とする請求項５に記載の物干し構造。
【請求項７】
複数の前記物干し部材を具備する、
ことを特徴とする請求項１から請求項６までのいずれか一項に記載の物干し構造。
【請求項８】
前記設置スペースを換気するための換気手段をさらに具備する、
ことを特徴とする請求項１から請求項７までのいずれか一項に記載の物干し構造。
【請求項９】
洗面室内で洗濯物を干すための複数の物干し部材と、
前記物干し部材に前記洗濯物を取り付けるための取付位置と前記物干し部材に取り付けられた前記洗濯物を干すための物干し位置との間で、前記物干し部材を往復移動可能に支持する移動機構と、
を具備し、
前記物干し位置は、
前記洗面室に設置された機器の設置スペースの上部に配置され、
前記取付位置は、
前記物干し位置に比べて前記設置スペース以外のスペースに近い位置に配置される、
物干し構造。
【発明の詳細な説明】
【技術分野】
【０００１】
本発明は、洗面室内で洗濯物を干すための物干し構造の技術に関する。
【背景技術】
【０００２】
従来、洗面室等の室内で洗濯物を干すための物干し構造の技術は公知となっている。例えば、特許文献１に記載の如くである。
【０００３】
特許文献１には、ワイヤーにより吊り下げられ、昇降自在とされた物干し竿を、天井面に設置される本体内部に収納可能な室内物干し装置が開示されている。物干し竿は、ワイヤーが引き出されることで天井面（本体内部）から下降される。下降された状態の物干し竿には洗濯物が取り付けられる。物干し竿は、乾燥した洗濯物が取り外された後で、ワイヤーが巻き上げられることで上昇されて本体の内部に収納される。
【０００４】
このような室内物干し装置を洗濯機の上方のような機器の設置スペースの上部に配置した場合には、洗濯物を物干し竿に取り付けるときに機器が妨げとなってしまい、洗濯物を干し難くなってしまう可能性ある。
【先行技術文献】
【特許文献】
【０００５】
【特許文献１】特許第３５２９７１４号公報
【発明の概要】
【発明が解決しようとする課題】
【０００６】
本発明は、以上の如き状況を鑑みてなされたものであり、簡単に洗濯物を干すことができる物干し構造を提供することである。
【課題を解決するための手段】
【０００７】
本発明の解決しようとする課題は以上の如くであり、次にこの課題を解決するための手段を説明する。
【０００８】
即ち、請求項１においては、洗面室内で洗濯物を干すための物干し部材と、前記物干し部材に前記洗濯物を取り付けるための取付位置と前記物干し部材に取り付けられた前記洗濯物を干すための物干し位置との間で、前記物干し部材を往復移動可能に支持する移動機構と、上下方向を軸方向として前記物干し部材を回動可能に支持する回動機構と、を具備し、前記物干し位置は、前記洗面室に設置された機器の設置スペースの上部に配置され、前記取付位置は、前記物干し位置に比べて前記設置スペース以外のスペースに近い位置に配置されるものである。
【０００９】
請求項２においては、前記取付位置は、前記洗面室の前記設置スペース以外のスペースに配置されるものである。
【００１０】
請求項３においては、前記機器には、洗濯機が含まれ、前記物干し部材は、前記物干し位置に移動された状態において、少なくとも一部が前記洗濯機の上方に配置されるものである。
【００１１】
請求項４においては、前記物干し部材を昇降可能に支持する昇降機構をさらに具備するものである。
【００１２】
請求項５においては、前記移動機構は、前記洗面室の天井に設けられ、前記取付位置から前記物干し位置に亘って形成されるガイド部と、前記ガイド部に沿って往復移動可能に前記物干し部材を支持する支持部材と、を具備するものである。
【００１３】
請求項６においては、前記移動機構は、前記支持部材に取り付けられると共に下端部が下方向に延びるように形成され、前記物干し部材を前記ガイド部に沿って往復移動させるための操作部材をさらに具備するものである。
【００１４】
請求項７においては、複数の前記物干し部材を具備するものである。
【００１５】
請求項８においては、前記設置スペースを換気するための換気手段をさらに具備するものである。
【００１６】
請求項９においては、洗面室内で洗濯物を干すための複数の物干し部材と、前記物干し部材に前記洗濯物を取り付けるための取付位置と前記物干し部材に取り付けられた前記洗濯物を干すための物干し位置との間で、前記物干し部材を往復移動可能に支持する移動機構と、を具備し、前記物干し位置は、前記洗面室に設置された機器の設置スペースの上部に配置され、前記取付位置は、前記物干し位置に比べて前記設置スペース以外のスペースに近い位置に配置されるものである。
【発明の効果】
【００１７】
本発明の効果として、以下に示すような効果を奏する。
【００１８】
請求項１においては、洗濯物を簡単に干すことができる。
【００１９】
請求項２においては、洗濯物をより簡単に干すことができる。
【００２０】
請求項３においては、洗濯機の上方のスペースを有効に活用することができる。
【００２１】
請求項４においては、洗濯物をより簡単に干すことができる。
【００２２】
請求項５においては、簡単な構成で物干し部材を往復移動させることができる。
【００２３】
請求項６においては、物干し部材を簡単に往復移動させることができる。
【００２４】
請求項７においては、多くの洗濯物を干すことができる。
【００２５】
請求項８においては、効率的に洗濯物を乾燥させることができる。
【００２６】
請求項９においては、洗濯物を簡単に干すことができる。また、多くの洗濯物を干すことができる。
【図面の簡単な説明】
【００２７】
【図１】本発明の一実施形態に係る物干し構造の平面図。
【図２】同じく、背面図。
【図３】取付位置に移動された物干し部材を示す平面図。
【図４】物干し位置に移動された物干し部材を示す平面図。
【図５】本発明の別実施形態に係る物干し構造の平面図。
【図６】同じく、背面図。
【図７】物干し部材を回動させた状態を示す拡大平面図。
【発明を実施するための形態】
【００２８】
以下の説明においては、図中に記した矢印に従って、上下方向、左右方向及び前後方向をそれぞれ定義する。
【００２９】
以下では、本発明の一実施形態に係る物干し構造について説明する。
【００３０】
まず、図１を参照して、物干し構造が採用された洗面脱衣室１０の全体的な構成について説明する。
【００３１】
洗面脱衣室１０は、図示せぬ浴室と隣接し、洗面室と脱衣室とが一体的に形成された部屋である。洗面脱衣室１０の右方には、前記浴室が設けられる。洗面脱衣室１０は、四方が複数の壁部（パネル）により囲まれ、平面視略矩形状に形成される。洗面脱衣室１０は、前側に配置された前壁部１２と、後側に配置された後壁部１４と、左側に配置された左壁部１６と、右側に配置された右壁部１８とにより、前後方向及び左右方向を囲まれて形成される。左壁部１６及び右壁部１８の後端部には、それぞれ出入口１６ａ・１８ａが設けられる。出入口１６ａ・１８ａには図示せぬドアが設けられる。このような洗面脱衣室１０には、洗面台２２及び洗濯機２４が設置される。
【００３２】
洗面台２２は、洗面脱衣室１０の利用者が顔等を洗うためのものである。洗面台２２は、平面視略矩形状に形成される。洗面台２２の上面には、洗面ボウルや水栓器具等が設けられる。洗面台２２は、前壁部１２及び左壁部１６に沿うように設置されて洗面脱衣室１０の左前部に配置される。洗面台２２と後壁部１４との間には、人が左右方向に移動可能なスペースが形成される。
【００３３】
洗濯機２４は、平面視略矩形状に形成される。洗濯機２４は、前壁部１２及び右壁部１８に沿うように設置されて洗面脱衣室１０の右前部に配置される。洗濯機２４は、洗面台２２の右方に僅かに（利用者が前後方向に通ることができない程度に）スペースを空けて配置される。洗濯機２４と後壁部１４との間には、人が左右方向に移動可能なスペースが形成される。
【００３４】
このように、洗面脱衣室１０の前部のスペースは、機器（洗面台２２及び洗濯機２４）を設置するためのスペースとして形成される。以下では、このようなスペースを「設置スペースＳ１」と称する。
また、設置スペースＳ１と隣接し、人が左右方向に移動可能な洗面脱衣室１０の後部のスペースを「移動スペースＳ２」と称する。
なお、設置スペースＳ１及び移動スペースＳ２は、床部から天井２０までのスペースである。
【００３５】
次に、図１及び図２を参照して、物干し構造について詳細に説明する。
【００３６】
物干し構造は、物干し部材３０、移動機構４０、昇降機構５０、換気扇６０及び窓７０を具備する。
【００３７】
物干し部材３０は、洗面脱衣室１０内で洗濯物を干すためのものである。物干し部材３０は、軸線方向を左右方向に向けて配置される略円柱状の部材である。物干し部材３０の左右方向の長さは、洗濯機２４の左右方向の長さよりも長くなるように形成される。物干し部材３０は、洗面脱衣室１０の右部に配置される。物干し部材３０は、前後方向にスペースを空けて二つ配置される。図１に示す状態において、前側の物干し部材３０は、洗濯機２４の上方（設置スペースＳ１の上部）に配置されており、その左右端部が平面視において洗濯機２４から左右方向に突出している。また、後側の物干し部材３０は、移動スペースＳ２の上部に配置されている。
【００３８】
移動機構４０は、物干し位置Ｐ１と取付位置Ｐ２との間で物干し部材３０を往復移動させるためのものである。移動機構４０は、一対のレール４２、支持部材４４及び操作レバー４６を具備する。
【００３９】
なお、物干し位置Ｐ１は、物干し部材３０に取り付けられた洗濯物を干すための位置であり、設置スペースＳ１の右上部に配置される（図４参照）。また、取付位置Ｐ２は、物干し部材３０に洗濯物を取り付けるための位置であり、移動スペースＳ２の右上部に配置される（図３参照）。すなわち、取付位置Ｐ２は、物干し位置Ｐ１の後方に配置される。
【００４０】
一対のレール４２は、それぞれ角パイプの下面を切り欠いたような形状に形成される。一対のレール４２は、それぞれ長手方向を前後方向に向けると共に左右方向に間隔を空けて配置される。左側のレール４２は、洗面脱衣室１０の左右中途部に配置され、平面視において洗濯機２４の左方に配置される。右側のレール４２は、洗面脱衣室１０の右端部に配置され、平面視において洗濯機２４の右方に配置される。一対のレール４２は、前端部が設置スペースＳ１の前後中途部に配置されると共に後端部が移動スペースＳ２の前後中途部に配置され、設置スペースＳ１と移動スペースＳ２とを跨ぐように洗面脱衣室１０に設けられる。このような一対のレール４２は、天井２０に埋め込まれることで天井２０に固定される。
【００４１】
支持部材４４は、長手方向を左右方向に向けた略四角柱状に形成される。支持部材４４は、物干し部材３０の上方に配置される。支持部材４４は、前後方向に間隔を空けて二つ配置され、後述する昇降機構５０を介して前後の物干し部材３０をそれぞれ支持する。支持部材４４の左端部は、左側のレール４２の下方に配置される。支持部材４４の右端部は、右側のレール４２の下方に配置される。支持部材４４は、一対のローラ４４ａを有する。
【００４２】
一対のローラ４４ａは、支持部材４４の上面の左端部及び右端部にそれぞれ取り付けられ、一対のレール４２に沿って前後方向に往復移動可能に構成される。支持部材４４は、一対のローラ４４ａと共に前後方向に往復移動する。一対のローラ４４ａには、それぞれ図示せぬブレーキ装置が設けられる。一対のローラ４４ａは、それぞれ前記ブレーキ装置が作動することで回転可能な状態と回転不能な状態とに切り替えられる。
なお、図１、図３、図４、図５及び図７においては、一対のローラ４４ａを見易くするためにローラ４４ａの記載を簡略化している。
【００４３】
操作レバー４６は、支持部材４４を介して物干し部材３０をレール４２に沿って往復移動させるためのものである。操作レバー４６は、前後の支持部材４４の右端部にそれぞれ取り付けられる。操作レバー４６は、連結部４６ａ及び操作部４６ｂを有する。
なお、図１、図３、図４、図５及び図７においては、説明の便宜上、操作レバー４６の記載を省略している。
【００４４】
連結部４６ａは、軸線方向を略上下方向に向けた略円柱状に形成される。連結部４６ａの上端部は、支持部材４４に中心軸を回転軸として回動可能に取り付けられる。図２に示す状態において、連結部４６ａの下端部は、物干し部材３０の下方に配置される。
【００４５】
操作部４６ｂは、洗濯物を干す作業を行う者（以下、「作業者」と称する）が握って物干し部材３０を操作する部分である。操作部４６ｂは、軸線方向を略上下方向に向けた略円柱状に形成される。操作部４６ｂの軸線方向の長さは、連結部４６ａの軸線方向の長さよりも短くなるように形成される。操作部４６ｂの外径は、連結部４６ａの外径よりも大きくなるように形成される。操作部４６ｂは、連結部４６ａの下端部に取り付けられる。操作部４６ｂは、ある程度低い位置（例えば、洗濯機２４の上方、かつ作業者が簡単に握れるような位置）に配置される。操作部４６ｂは、連結部４６ａ等を介して一対のローラ４４ａの前記ブレーキ装置に連結される。
【００４６】
作業者は、このように構成される操作レバー４６の操作部４６ｂを握って前後方向に往復移動させることで、支持部材４４を前後方向に往復移動させる。これにより、作業者は、物干し位置Ｐ１と取付位置Ｐ２との間で前後の物干し部材３０をそれぞれ往復移動させる。すなわち、移動機構４０は、前後の物干し部材３０を独立して往復移動可能な構成としている。
また、作業者は、操作レバー４６を回動することで前記ブレーキ装置を作動させ、一対のローラ４４ａを回転可能な状態と回転不能な状態とに切り替える。これにより、作業者は、支持部材４４を任意の位置で固定することができる。
【００４７】
昇降機構５０は、前後の物干し部材３０をそれぞれ昇降（独立して上下方向に移動）させるためのものである。昇降機構５０は、前後方向に間隔を空けて二つ配置される。昇降機構５０は、前後の支持部材４４にそれぞれ設けられ、支持部材４４と物干し部材３０とを連結する。前後の昇降機構５０は、それぞれ回転軸５２、ワイヤー５４及び操作紐５６を具備する。
【００４８】
回転軸５２は、軸線方向を左右方向に向けて配置される。回転軸５２は、所定の連結部材を介して支持部材４４の後側面に相対回転可能に取り付けられる。回転軸５２には、三つのドラム５２ａ・５２ｂ・５２ｃが取り付けられる。三つのドラム５２ａ・５２ｂ・５２ｃは、回転軸５２と共に回転するように回転軸５２に取り付けられる。三つのドラム５２ａ・５２ｂ・５２ｃは、回転軸５２の左端部、右端部近傍及び右端部に互いに間隔を空けて配置される。
【００４９】
一対のワイヤー５４は、左端部及び右端部近傍のドラム５２ａ・５２ｂにそれぞれ巻き掛けられる。一対のワイヤー５４の下端部は、左端部及び右端部近傍のドラム５２ａ・５２ｂから下方向に延びるように形成され、物干し部材３０の左部及び右部にそれぞれ固定される。
【００５０】
操作紐５６は、右端部のドラム５２ｃに巻き掛けられる。操作紐５６の下端部は、右端部のドラム５２ｃから下方向に延びるように形成され、ある程度低い位置（例えば、洗濯機２４の上方、かつ作業者が簡単に握れるような位置）に配置される。
【００５１】
作業者は、操作紐５６を引っ張って右端部のドラム５２ｃを回転させることによって、回転軸５２を介して左端部及び右端部近傍のドラム５２ａ・５２ｂを回転させる。これにより、作業者は、一対のワイヤー５４を巻き出して、物干し部材３０を下降させる。また、作業者は、物干し部材３０を下降させる場合とは反対の方向に操作紐５６を引っ張って右端部のドラム５２ｃを回転させることにより、一対のワイヤー５４を巻き取って物干し部材３０を上昇させる。
【００５２】
図１に示すように、換気扇６０は、洗面脱衣室１０の右前部に、一対のレール４２と干渉しないように配置される。換気扇６０は、洗面脱衣室１０の天井２０に取り付けられる。換気扇６０は、作動することで洗面脱衣室１０の空気を屋外に排出し、洗面脱衣室１０の換気を促進することができるように構成される。
【００５３】
窓７０は、正面視略矩形状に形成される。窓７０は、前壁部１２の右上部に配置される。なお、図２及び図６においては、説明の便宜上、窓７０の記載を省略している。
【００５４】
次に、図２、図３及び図４を参照して洗面脱衣室１０に洗濯物を干す作業（物干し作業）の手順について説明する。
【００５５】
なお、説明の便宜上、前後の物干し部材３０は、物干し作業前の状態において、それぞれ物干し位置Ｐ１（設置スペースＳ１）に配置され、洗濯物が取り付けられていない状態であるものとする（図４参照）。
【００５６】
まず、図２及び図３に示すように、作業者は、操作レバー４６の操作部４６ｂを握って後方向に引っ張り、前後の物干し部材３０を一対のレール４２に沿ってそれぞれ後方向に移動させる。これにより、作業者は、前後の物干し部材３０を物干し位置Ｐ１から取付位置Ｐ２に移動させる。
【００５７】
前後の物干し部材３０を移動させた後で、作業者は、操作紐５６を引っ張って一対のワイヤー５４を巻き出し、前後の物干し部材３０をそれぞれ下降させる。そして、作業者は、前後の物干し部材３０にそれぞれ洗濯物を取り付ける。
【００５８】
これによれば、作業者は、洗濯機２４が妨げにならない移動スペースＳ２（取付位置Ｐ２）で、前後の物干し部材３０に洗濯物を取り付けることができる。このため、作業者は、簡単に前後の物干し部材３０に洗濯物を取り付けることができる。
【００５９】
また、作業者は、前後の物干し部材３０を昇降機構５０によって洗濯物を干し易い高さまで下降させることができる。従って、作業者は、簡単に手が届く高さで前後の物干し部材３０に洗濯物を取り付けることができる。
【００６０】
また、作業者は、平面視において洗濯機２４と隣接する取付位置Ｐ２に前後の物干し部材３０を移動させて洗濯物を取り付けることにより、洗濯機２４から取り出した洗濯物を別の場所に移動させることなく（その場で）、前後の物干し部材３０に取り付けることができる。このため、作業者は、効率的に洗濯物を干すことができる。
【００６１】
前後の物干し部材３０に洗濯物を取り付けた後で、作業者は、操作紐５６を引っ張って一対のワイヤー５４を巻き上げ、前後の物干し部材３０をそれぞれ上昇させる。そして、図２及び図４に示すように、作業者は、操作部４６ｂを握って前後の物干し部材３０を前方向にそれぞれ移動させる。こうして、作業者は、取付位置Ｐ２から物干し位置Ｐ１に前後の物干し部材３０をそれぞれ移動させる。
【００６２】
その後、作業者は、操作レバー４６の操作部４６ｂを回動させて一対のローラ４４ａの前記ブレーキ装置を作動させ、一対のローラ４４ａを回転不能な状態に切り替える。これにより、作業者は、前後の物干し部材３０の前後方向への移動をそれぞれ規制する。こうして、作業者は、前後の物干し部材３０に取り付けられた洗濯物を干す。
【００６３】
これによれば、作業者は、物干し位置Ｐ１、すなわち、人が行き来不能な設置スペースＳ１で洗濯物を干すことができる。このため、前後の物干し部材３０及び前後の物干し部材３０に取り付けられた洗濯物が人の移動の妨げになることを防止することができる。
【００６４】
また、作業者は、洗濯機２４の上方のスペースを物干しのためのスペースとして利用することができるため、洗濯機２４の上方のスペースを有効に活用することができる。
【００６５】
また、作業者は、前後（複数）の物干し部材３０に洗濯物を干すことでより多くの洗濯物を干すことができる。
【００６６】
前後の物干し部材３０の移動を規制した後で、作業者は、天気等に応じて換気扇６０を作動させたり窓７０を開けたりする。これによれば、作業者は、洗面脱衣室１０の湿った空気を外部に排出することができると共に、空気の流れを作ることができるため、洗濯物を短時間で乾燥させることができる。
【００６７】
以上により、作業者は、物干し作業を完了する。作業者は、洗濯物が乾いた後で、操作レバー４６の操作部４６ｂを回動させて、一対のローラ４４ａを回転可能な状態に切り替える。そして、作業者は、前後の物干し部材３０を取付位置Ｐ２に移動させた後で下降させ、前後の物干し部材３０から洗濯物を取り込む。その後、前後の物干し部材３０をそれぞれ上昇させ、操作レバー４６を握って前後の物干し部材３０を物干し位置Ｐ１にそれぞれ移動させる。
【００６８】
このように、前後の物干し部材３０の往復移動を操作レバー４６によって操作することで、作業者は、前後の物干し部材３０まで手を伸ばすことなく簡単に前後の物干し部材３０を往復移動させることができる。
【００６９】
また、移動機構４０は、一対のレール４２及び支持部材４４を具備することで、簡単な構成で物干し部材３０を往復移動させることができる。
【００７０】
以上の如く、本実施形態に係る物干し構造は、洗面脱衣室１０（洗面室）内で洗濯物を干すための物干し部材３０と、前記物干し部材３０に前記洗濯物を取り付けるための取付位置Ｐ２と前記物干し部材３０に取り付けられた前記洗濯物を干すための物干し位置Ｐ１との間で、前記物干し部材３０を往復移動可能に支持する移動機構４０と、を具備し、前記物干し位置Ｐ１は、前記洗面脱衣室１０に設置された洗面台２２及び洗濯機２４（機器）の設置スペースＳ１の上部に配置され、前記取付位置Ｐ２は、前記物干し位置Ｐ１に比べて移動スペースＳ２（前記設置スペースＳ１以外のスペース）に近い位置に配置されるものである。
【００７１】
このように構成することにより、設置スペースＳ１の上部のスペースを有効に活用することができる。また、洗濯物を簡単に干すことができる。
【００７２】
また、前記取付位置Ｐ２は、前記洗面脱衣室１０の移動スペースＳ２に配置されるものである。
【００７３】
このように構成することにより、洗濯物をより簡単に干すことができる。
【００７４】
そして、前記機器には、洗濯機２４が含まれ、前記物干し部材３０は、前記物干し位置Ｐ１に移動された状態において、少なくとも一部が前記洗濯機２４の上方に配置されるものである。
【００７５】
このように構成することにより、洗濯機２４の上方（洗濯機２４と天井２０との間）のスペースを有効に活用することができる。
【００７６】
そして、物干し構造は、前記物干し部材３０を昇降可能に支持する昇降機構５０をさらに具備するものである。
【００７７】
このように構成することにより、洗濯物をより簡単に干すことができる。
【００７８】
そして、前記移動機構４０は、前記洗面脱衣室１０の天井２０に設けられ、前記取付位置Ｐ２から前記物干し位置Ｐ１に亘って形成されるレール４２（ガイド部）と、前記レール４２に沿って往復移動可能に前記物干し部材３０を支持する支持部材４４と、を具備するものである。
【００７９】
このように構成することにより、簡単な構成で物干し部材３０を往復移動させることができる。
【００８０】
そして、前記移動機構４０は、前記支持部材４４に取り付けられると共に下端部が下方向に延びるように形成され、前記物干し部材３０を前記レール４２に沿って往復移動させるための操作レバー４６（操作部材）をさらに具備するものである。
【００８１】
このように構成することにより、物干し部材３０を簡単に移動させることができる。
【００８２】
そして、物干し構造は、複数の前記物干し部材３０を具備するものである。
【００８３】
このように構成することにより、多くの洗濯物を干すことができる。
【００８４】
そして、物干し構造は、前記設置スペースＳ１を換気するための換気扇６０及び窓７０（換気手段）をさらに具備するものである。
【００８５】
このように構成することにより、効率的に洗濯物を乾燥させることができる。
【００８６】
なお、本実施形態に係る洗面脱衣室１０は、本発明に係る洗面室の実施の一形態である。
また、本実施形態に係る洗面台２２及び洗濯機２４は、本発明に係る機器の実施の一形態である。
また、本実施形態に係る移動スペースＳ２は、本発明に係る設置スペース以外のスペースの実施の一形態である。
また、本実施形態に係るレール４２は、本発明に係るガイド部の実施の一形態である。
また、本実施形態に係るローラ４４ａは、本発明に係る移動体の実施の一形態である。
また、本実施形態に係る操作レバー４６は、本発明に係る操作部材の実施の一形態である。
また、本実施形態に係る換気扇６０及び窓７０は、本発明に係る換気手段の実施の一形態である。
【００８７】
以上、本発明の実施形態及び別実施形態を説明したが、本発明は上記構成に限定されるものではなく、特許請求の範囲に記載された発明の範囲内で種々の変更が可能である。
【００８８】
例えば、本発明に係る物干し構造においては、図５及び図６に示すように、物干し部材３０を回動可能に支持する回動機構８０を具備していても構わない。このような回動機構８０を具備する物干し構造の構成としては、以下のような構成が考えられる。
【００８９】
移動機構４０は、一つのレール４２及びローラ４４ａが取り付けられる支持部材４４を具備する。支持部材４４の上面とローラ４４ａとの間には、回動機構８０が設けられる。回動機構８０は、軸線方向を上下方向に向けて配置されて支持部材４４を回動可能に支持する軸部及び当該軸部の回動を規制する規制部等を具備する。図５及び図７に示すように、支持部材４４は、回動機構８０の前記軸部の回動と共に平面視において回動する。これにより、回動機構８０は、前後の物干し部材３０をそれぞれ回動させる。作業者は、操作レバー４６の操作部４６ｂを操作することで前記規制部を操作して、前記軸部の回動を規制した状態と前記軸部の回動規制を解除した状態とを切り替える。これにより、作業者は、支持部材４４（物干し部材３０）を任意の向きで固定することができる。
【００９０】
このような回動機構８０を具備する物干し構造を用いて物干し作業を行う場合、作業者は、前後の物干し部材３０を取付位置Ｐ２にそれぞれ移動させた後で（図３参照）前後の物干し部材３０をそれぞれ下降させる。図７に示すように、作業者は、操作部４６ｂを操作して前後の物干し部材３０を回動可能な状態に切り替えて回動させ、前後の物干し部材３０にそれぞれ洗濯物を取り付ける。そして、作業者は、軸線方向が左右方向を向くように前後の物干し部材３０を回動させ、操作部４６ｂを操作して回動不能な状態に切り替える。その後、作業者は、前後の物干し部材３０を上昇させ、前後の物干し部材３０を物干し位置Ｐ１までそれぞれ移動させる（図４参照）。
【００９１】
これによれば、作業者は、洗濯物を取り付け易い向きとなるように前後の物干し部材３０を回動させることができる。従って、作業者は、簡単に洗濯物を取り付けることができる。
【００９２】
以上の如く、本実施形態に係る物干し構造は、上下方向を軸方向として前記物干し部材３０を回動可能に支持する回動機構８０をさらに具備するものである。
【００９３】
このように構成することにより、洗濯物をより簡単に干すことができる。
【００９４】
また、本発明に係る移動機構は、乾燥前後の洗濯物の重量差に応じて物干し部材を自動的に移動させるような構成であっても良い。この場合、本発明に係る移動機構は、物干し部材３０を後方向に付勢するバネを具備する。前記バネは、洗濯物が乾燥する前の状態（重量が重い状態）である場合に物干し部材３０を後方向に移動させることができず、かつ洗濯物が乾燥するにつれて（重量が軽くなるにつれて）物干し部材３０を後方向に移動させることできるような、適宜のバネが用いられる。このような構成により、作業者は、物干し作業後に洗濯物が取付位置Ｐ２に移動していれば、洗濯物が乾燥していると把握することができる。こうして、作業者は、洗濯物の取り込みのタイミングを（例えば、洗濯物に触れることで乾燥状態を確認する作業を行うことなく）容易に認識することができる。
このような乾燥前後の洗濯物の重量差に応じて物干し部材を自動的に移動させるための構成は、バネに限らず、モータのような駆動源を用いても構わない。
【００９５】
また、本実施形態において、機器は、洗面台２２及び洗濯機２４であるものとしたが、本発明はこれに限定されるものでなく、収納であっても良い。
【００９６】
また、本実施形態において、物干し位置Ｐ１は、洗濯機２４の上方に配置されるものとしたが、本発明はこれに限定されるものでなく、洗面台２２の上方に配置されていても良い。
【００９７】
また、本実施形態において、取付位置Ｐ２は、移動スペースＳ２に配置されるものとしたが、本発明はこれに限定されるものでない。本発明に係る取付位置は、物干し位置Ｐ１よりも洗濯物を取り付け易い位置、すなわち物干し位置Ｐ１に比べて移動スペースＳ２に近い位置に配置されていれば良く、設置スペースＳ１の後端部に配置されていても良い。
【００９８】
また、本実施形態において物干し部材３０は、略円柱状に形成されるものとしたが、本発明に係る物干し部材の形状はこれに限定されるものでなく、略四角柱状に形成されていても構わない。
【００９９】
また、本実施形態において物干し部材３０は、洗濯機２４の上方に配置されるものとしたが、本発明に係る物干し部材はこれに限定されるものでなく、一部が洗濯機２４の上方に配置されると共に他部が洗面台２２の上方に配置されていても良い。
【０１００】
また、本実施形態において、移動機構４０は、ローラ４４ａがレール４２に沿って往復移動するものとしたが、本発明に係るガイド部及び移動体の構成はこれに限定されるものでない。本発明に係る移動機構のガイド部は、天井２０に溝を形成することで構成されていても良い。本発明に係る移動機構の移動体は、摩擦係数が低い板状の部材によって構成されていても良い。
【０１０１】
また、本実施形態において、昇降機構５０は、一対のワイヤー５４を巻き取る又は巻き出すことで物干し部材３０を昇降させる構成としたが、本発明に係る昇降機構の構成はこれに限定されるものでない。本発明に係る昇降機構は、パンタグラフによって物干し部材３０を昇降させても良い。
【０１０２】
また、本実施形態においては、前後の物干し部材３０を独立して往復移動及び昇降させるものとしたが、本発明に係る移動機構及び昇降機構の構成はこれに限定されるものでなく、前後の物干し部材３０を一体的に往復移動及び昇降させるものであっても良い。
【０１０３】
また、本実施形態においては、二つの物干し部材３０を具備する構成としたが、本発明はこれに限定されるものでなく、一つの物干し部材３０を具備していても、三つ以上の物干し部材３０を具備していても良い。
【０１０４】
また、実施形態においては、設置スペースＳ１を換気するための換気扇６０及び窓７０を具備するものとしたが、本発明に係る換気手段はこれに限定されるものでなく、換気扇及び窓のいずれか一方だけを具備していても良い。
【符号の説明】
【０１０５】
１０  洗面脱衣室
２４  洗濯機（機器）
３０  物干し部材
４０  移動機構
Ｐ１  物干し位置
Ｐ２  取付位置
Ｓ１  設置スペース
Ｓ２  移動スペース（設置スペース以外のスペース）
【図１】
0006495605.tif 000002
【図２】
0006495605.tif 000003
【図３】
0006495605.tif 000004
【図４】
0006495605.tif 000005
【図５】
0006495605.tif 000006
【図６】
0006495605.tif 000007
【図７】
0006495605.tif 000008